(57)【要約】【課題】多磁極発電装置の提供。【解決手段】本考案は一種の多磁極発電装置に関わるもので、整流蓄電装置に接続して、適切な電力を電子製品に提供する。この発電装置は主に外周面に誘導コイルを巻き込む中空搬送体、該搬送体内部に一つ以上の摺動磁石を該中空搬送体両端部の外周面に設ける。Ｎ極とＳ極はその端に備える摺動磁石の同じ極の磁石に合わせて設ける。一つの特徴は、該摺動磁石に重り部材を設け、誘導コイルを完全にカットして、電磁誘導効率を向上する。もう一つの特徴は、該中空搬送体の内壁と摺動磁石の外周面は異なる輪郭の組み合わせにより、より良い摺動空間を提供し、摺動磁石の摺動過程における空気圧縮抵抗力を軽減できる。【選択図】図４
0003123573.tif 000002
【実用新案登録請求の範囲】
【請求項１】
整流蓄電装置に接続して、適切な電力を電子製品に提供し中空搬送体、固定磁石、重り部材及び蓋体を含み、
該中空搬送体は両端部および一つ以上の開口部を設けるほか、外周面に誘導コイルを設け、更に一つ以上の摺動磁石を該中空搬送体内部に収容し、  固定磁石は該中空搬送体両端部の外周面にそれぞれ設け、Ｎ極とＳ極はその端に備える摺動磁石の同じ極の磁石に合わせて設け、
重り部材は該摺動磁石に設け、蓋体は該開口部に設け、
この構造により、該摺動磁石と重り部材が中空搬送体において、良好な摺動エネルギーを得て、順調な往復運動を行うことにより、誘導コイルを完全にカットして、電磁誘導効率を向上できる、一種の多磁極発電装置。
【請求項２】
該重り部材と摺動磁石の形状は同様であることを特徴とする、請求項１記載の多磁極発電装置。
【請求項３】
該重り部材は炭素鋼、真鍮などの材質を用いることを特徴とする、請求項２記載の多磁極発電装置。
【請求項４】
該固定磁石は環状体磁石、二つの円弧体磁石、または複数の小さい磁石などを設けることを特徴とする、請求項１記載の多磁極発電装置。
【請求項５】
空気圧縮抵抗力を軽減するため、該摺動磁石の中央部に貫通孔を設けることを特徴とする、請求項４記載の多磁極発電装置。
【請求項６】
該摺動磁石の外周面はさらに、複数の切り込みを設けることを特徴とする、請求項５記載の多磁極発電装置。
【請求項７】
該摺動磁石の内壁はさらに、複数の切り込みを設けることを特徴とする、請求項５記載の多磁極発電装置。
【請求項８】
該中空搬送体の内壁と該摺動磁石の外周面は該中空搬送体の内壁断面に多辺形を設けることに対して、該摺動磁石外周面の断面に円形を設ける、または該中空搬送体内壁の断面に円形を設けることに対して、該摺動磁石外周面の断面に多辺形を設けるなど、異なる輪郭の組み合わせにより、より良い摺動空間を提供し、磁石の摺動過程における空気圧縮抵抗力を軽減できることを特徴とする、請求項２記載の多磁極発電装置。
【請求項９】
空気圧縮抵抗力を軽減するため、該摺動磁石の中央部に貫通孔を設けることを特徴とする、請求項８記載の多磁極発電装置。
【請求項１０】
該摺動磁石は複数個を設け、同じく磁極を向かい合わせて配列した上、串刺し接続する、または異なる磁極を向かい合わせて配列した上、串刺し接続する、あるいは同磁極と異なる磁極を混在した上、串刺し接続することを特徴とする、請求項１記載の多磁極発電装置。
【請求項１１】
複数の摺動磁石は接続棒により、串刺し接続するほか、摺動磁石同士の間に仕切り部材を設けることを特徴とする、請求項１０記載の多磁極発電装置。
【請求項１２】
接続棒はねじ棒、仕切り部材はナット、またはらせん状挿入部材、ワッシャーなどの仕切り物体など、仕切り機能を有する部材であることを特徴とする、請求項１１記載の多磁極発電装置。
【請求項１３】
整流蓄電装置に接続して、適切な電力を電子製品に提供する、
中空搬送体に両端部と一つ以上の開口部を設け、その外周面に誘導コイルを巻き込む、一つ以上の摺動磁石組を該中空搬送体に設ける、
固定磁石、該中空搬送体両端部の外周面にそれぞれ設け、Ｎ極とＳ極はその端に備える摺動磁石の同じ極の磁石に合わせて設ける、
蓋体、該開口部に設け、
該中空搬送体の内壁と摺動磁石の外周面は異なる輪郭の組み合わせにより、より良い摺動空間を提供し、摺動磁石の摺動過程における空気圧縮抵抗力を軽減する特徴を有する、一種の多磁極発電装置。
【請求項１４】
該摺動磁石は複数個を設け、同じく磁極を向かい合わせて配列した上、串刺し接続する、または異なる磁極を向かい合わせて配列した上、串刺し接続する、あるいは同磁極と異なる磁極を混在した上、串刺し接続することを特徴とする、請求項１３記載の多磁極発電装置。
【請求項１５】
空気圧縮抵抗力を軽減するため、すべての摺動磁石の中央部はさらに貫通孔を設けることを特徴とする、請求項１４記載の多磁極発電装置。
【請求項１６】
該中空搬送体内壁の断面は円形を設けることに対して、該摺動磁石外周面の断面は多辺形を設けることを特徴とする、請求項１５記載の多磁極発電装置。
【請求項１７】
該中空搬送体内壁の断面は多辺形を設けることに対して、該摺動磁石外周面の断面は円形を設けることを特徴とする、請求項１５記載の多磁極発電装置。
【請求項１８】
該固定磁石は環状体磁石、二つの円弧体磁石、または複数の小さい磁石などを設けることを特徴とする、請求項１３記載の多磁極発電装置。
【請求項１９】
摺動磁石は複数の接続棒により串刺し接続するほか、摺動磁石同士の間に仕切り部材を設けることを特徴とする、請求項１４記載の多磁極発電装置。
【請求項２０】
接続棒はねじ棒、仕切り部材はナット、またはらせん状挿入部材、ワッシャーなどの仕切り物体など、仕切り機能を有する部材であることを特徴とする、請求項１９記載の多磁極発電装置。
【請求項２１】
整流蓄電装置に接続して、適切な電力を電子製品に提供する、
中空搬送体、両端部および一つ以上の開口部を設けるほか、外周面に誘導コイルを設ける、
一つ以上の摺動磁石を該中空搬送体内部に設ける、固定磁石を該中空搬送体両端部の外周面にそれぞれ設け、Ｎ極とＳ極はその端に備える摺動磁石の同じ極の磁石に合わせて設ける、蓋体を該開口部に設ける、一種の多磁極発電装置。
【考案の詳細な説明】
【技術分野】
【０００１】
本考案は一種の発電装置、特に一種の揺動式磁石の同性反発特性により、電気を発生する多磁極発電装置に関わるものである。
【背景技術】
【０００２】
情報技術の進歩につれて、電子消費製品もますます普及して来た。特に、電気を提供する電池は使用寿命のほか、環境保護対策したグリーン製品が要求される。このため、電池の蓄電、充電能力の改良、または繰り返して使用可能なニッケル水素電池、リチウムイオン電池、太陽電池などの製品は、すべて環境保護対策に配慮したものである。
【０００３】
本考案による発電装置は、一種の揺動式多磁極発電装置に関わるものである。主に磁石の同性反発特性を利用し、誘導コイルを備える経路の両端部に固定磁石を設け、経路の内部に摺動磁石を設けて、往復運動により誘導コイル内部に磁場を変化することにより、誘導起電力を発生し電気を提供する。この種の設計は特許文献１で公開されている。
【０００４】
しかしながら、前記公知技術の多磁極発電装置の磁石組は密閉したブッシングに組み込まれていたため、磁石組がブッシング内部での摺動は空気圧縮抵抗力により、磁石組の摺動エネルギーを妨げるばかりでなく、誘導起電力の発生に影響を与える。さらに、誘導コイルは電磁誘導法則により、摺動磁石の摺動方向において、反対磁場を形成するため、発生する誘導起電力が大きいほど、反対磁場に対する影響が大きい。よって、摺動磁石組の摺動エネルギーが妨げられ、揺動発電の不順と磁力線カットに影響する。そのため、特許文献２、特許文献３、特許文献４において、それぞれに解決手段が開示されている。複数の磁石を串刺して一体化することにより、磁石全体の重量を向上するほか、磁性液体を潤滑剤にとして、磁石と運動経路との摩擦力を低減して、磁石組の摺動エネルギーを向上している。
【０００５】
磁石組の摺動エネルギーは複数の磁石の串刺し接続と液体の増加により改善されている。しかしながら、コストが高くなるほか、生産プロセスがより煩雑になりかねない。
【０００６】
【特許文献１】米国特許第６７６８２３０号明細書
【特許文献２】米国特許第６７９８０９０号明細書
【特許文献３】米国特許第６２２０７１９号明細書
【特許文献４】米国特許第６８１２５８３号明細書
【考案の開示】
【考案が解決しようとする課題】
【０００７】
本考案は一種の構造簡単、生産プロセス簡素化、コスト軽減を実現しながら、より良い電力効果を発生する多磁極発電装置を提供し、適切な重量を維持することにより、磁石の摺動過程における摺動エネルギーの損失、磁力線カット誘導の影響を軽減するほか、磁石の摺動過程による空気圧縮抵抗力を低下し、揺動発電が順調に行えて、より良い電力効果を発生することを主な目的とする。
【０００８】
前記の目的を達成するため、本考案による多磁極発電装置は主に、中空搬送体に両端部と開口部をそれぞれ設け、その外周面に誘導コイルを巻き込む。一つ以上の摺動磁石を該中空搬送体内部に設ける。固定磁石を該中空搬送体両端部の外周面にそれぞれ設け、Ｎ極とＳ極はその端に備える摺動磁石の同じ極の磁石に合わせて設ける。重り部材を該摺動磁石に設ける。蓋体を該開口部に設ける。前記の構造により、摺動磁石と重り部材は中空搬送体内部において、良好な摺動エネルギーにより、順調に往復運動を行い、誘導コイルを完全にカットして、電磁誘導効率を向上する。
【０００９】
本考案による多磁極発電装置のもう一つの特徴は、該中空搬送体の内壁と該摺動磁石の外周面は異なる輪郭の組み合わせにより、より良い摺動空間を提供し、磁石の摺動過程における空気圧縮抵抗力を軽減できる。
【課題を解決するための手段】
【００１０】
請求項１の考案は、整流蓄電装置に接続して、適切な電力を電子製品に提供し中空搬送体、固定磁石、重り部材及び蓋体を含み、
該中空搬送体は両端部および一つ以上の開口部を設けるほか、外周面に誘導コイルを設け、更に一つ以上の摺動磁石を該中空搬送体内部に収容し、固定磁石は該中空搬送体両端部の外周面にそれぞれ設け、Ｎ極とＳ極はその端に備える摺動磁石の同じ極の磁石に合わせて設け、
重り部材は該摺動磁石に設け、蓋体は該開口部に設け、
この構造により、該摺動磁石と重り部材が中空搬送体において、良好な摺動エネルギーを得て、順調な往復運動を行うことにより、誘導コイルを完全にカットして、電磁誘導効率を向上できる、一種の多磁極発電装置としている。
請求項２の考案は、該重り部材と摺動磁石の形状は同様であることを特徴とする、請求項１記載の多磁極発電装置としている。
請求項３の考案は、該重り部材は炭素鋼、真鍮などの材質を用いることを特徴とする、請求項２記載の多磁極発電装置としている。
請求項４の考案は、該固定磁石は環状体磁石、二つの円弧体磁石、または複数の小さい磁石などを設けることを特徴とする、請求項１記載の多磁極発電装置としている。
請求項５の考案は、空気圧縮抵抗力を軽減するため、該摺動磁石の中央部に貫通孔を設けることを特徴とする、請求項４記載の多磁極発電装置としている。
請求項６の考案は、該摺動磁石の外周面はさらに、複数の切り込みを設けることを特徴とする、請求項５記載の多磁極発電装置としている。
請求項７の考案は、該摺動磁石の内壁はさらに、複数の切り込みを設けることを特徴とする、請求項５記載の多磁極発電装置としている。
請求項８の考案は、該中空搬送体の内壁と該摺動磁石の外周面は該中空搬送体の内壁断面に多辺形を設けることに対して、該摺動磁石外周面の断面に円形を設ける、または該中空搬送体内壁の断面に円形を設けることに対して、該摺動磁石外周面の断面に多辺形を設けるなど、異なる輪郭の組み合わせにより、より良い摺動空間を提供し、磁石の摺動過程における空気圧縮抵抗力を軽減できることを特徴とする、請求項２記載の多磁極発電装置としている。
請求項９の考案は、空気圧縮抵抗力を軽減するため、該摺動磁石の中央部に貫通孔を設けることを特徴とする、請求項８記載の多磁極発電装置としている。
請求項１０の考案は、該摺動磁石は複数個を設け、同じく磁極を向かい合わせて配列した上、串刺し接続する、または異なる磁極を向かい合わせて配列した上、串刺し接続する、あるいは同磁極と異なる磁極を混在した上、串刺し接続することを特徴とする、請求項１記載の多磁極発電装置としている。
請求項１１の考案は、複数の摺動磁石は接続棒により、串刺し接続するほか、摺動磁石同士の間に仕切り部材を設けることを特徴とする、請求項１０記載の多磁極発電装置としている。
請求項１２の考案は、接続棒はねじ棒、仕切り部材はナット、またはらせん状挿入部材、ワッシャーなどの仕切り物体など、仕切り機能を有する部材であることを特徴とする、請求項１１記載の多磁極発電装置としている。
請求項１３の考案は、整流蓄電装置に接続して、適切な電力を電子製品に提供する、
中空搬送体に両端部と一つ以上の開口部を設け、その外周面に誘導コイルを巻き込む、一つ以上の摺動磁石組を該中空搬送体に設ける、
固定磁石、該中空搬送体両端部の外周面にそれぞれ設け、Ｎ極とＳ極はその端に備える摺動磁石の同じ極の磁石に合わせて設ける、
蓋体、該開口部に設け、
該中空搬送体の内壁と摺動磁石の外周面は異なる輪郭の組み合わせにより、より良い摺動空間を提供し、摺動磁石の摺動過程における空気圧縮抵抗力を軽減する特徴を有する、一種の多磁極発電装置としている。
請求項１４の考案は、該摺動磁石は複数個を設け、同じく磁極を向かい合わせて配列した上、串刺し接続する、または異なる磁極を向かい合わせて配列した上、串刺し接続する、あるいは同磁極と異なる磁極を混在した上、串刺し接続することを特徴とする、請求項１３記載の多磁極発電装置としている。
請求項１５の考案は、空気圧縮抵抗力を軽減するため、すべての摺動磁石の中央部はさらに貫通孔を設けることを特徴とする、請求項１４記載の多磁極発電装置としている。
請求項１６の考案は、該中空搬送体内壁の断面は円形を設けることに対して、該摺動磁石外周面の断面は多辺形を設けることを特徴とする、請求項１５記載の多磁極発電装置としている。
請求項１７の考案は、該中空搬送体内壁の断面は多辺形を設けることに対して、該摺動磁石外周面の断面は円形を設けることを特徴とする、請求項１５記載の多磁極発電装置としている。
請求項１８の考案は、該固定磁石は環状体磁石、二つの円弧体磁石、または複数の小さい磁石などを設けることを特徴とする、請求項１３記載の多磁極発電装置としている。
請求項１９の考案は、摺動磁石は複数の接続棒により串刺し接続するほか、摺動磁石同士の間に仕切り部材を設けることを特徴とする、請求項１４記載の多磁極発電装置としている。
請求項２０の考案は、接続棒はねじ棒、仕切り部材はナット、またはらせん状挿入部材、ワッシャーなどの仕切り物体など、仕切り機能を有する部材であることを特徴とする、請求項１９記載の多磁極発電装置としている。
請求項２１の考案は、整流蓄電装置に接続して、適切な電力を電子製品に提供する、
中空搬送体、両端部および一つ以上の開口部を設けるほか、外周面に誘導コイルを設ける、
一つ以上の摺動磁石を該中空搬送体内部に設ける、固定磁石を該中空搬送体両端部の外周面にそれぞれ設け、Ｎ極とＳ極はその端に備える摺動磁石の同じ極の磁石に合わせて設ける、蓋体を該開口部に設ける、一種の多磁極発電装置としている。
【考案の効果】
【００１１】
本考案による多磁極発電装置は主に、中空搬送体に両端部と開口部をそれぞれ設け、その外周面に誘導コイルを巻き込む。一つ以上の摺動磁石を該中空搬送体内部に設ける。固定磁石を該中空搬送体両端部の外周面にそれぞれ設け、Ｎ極とＳ極はその端に備える摺動磁石の同じ極の磁石に合わせて設ける。重り部材を該摺動磁石に設ける。蓋体を該開口部に設ける。前記の構造により、摺動磁石と重り部材は中空搬送体内部において、良好な摺動エネルギーにより、順調に往復運動を行い、誘導コイルを完全にカットして、電磁誘導効率を向上する。
【考案を実施するための最良の形態】
【００１２】
図１に示すとおり、本考案による多磁極発電装置１はソケット８０と整流蓄電装置７に備えるコンセント８１に接続して導通する。適切に揺動操作した後、一定の電力を電子製品に提供される。該多磁極発電装置１は主に、中空搬送体２、固定磁石３０、３１、摺動磁石４、および重り部材５より構成する。そのうち、該中空搬送体２に両端部２０、２１を設け、その上、それぞれ開ロ部を設け、並びに蓋体２５を設置し、その外周面４０１に誘導コイル９０を設ける。該固定磁石３０、３１は、環状体（図２、図３であり、固定磁石３０、３１は二つの円弧体磁石、または複数の小さい磁石を外周面４０１に設けても良い。）を該中空搬送体両端部２０、２１の外周面４０１にそれぞれ設ける。そのうち、固定磁石３０の磁極はＳ極を内向きに設け、固定磁石３１の磁石はＮ極を内向きに設ける。該摺動磁石組４に６個の摺動磁石４０を設ける。摺動磁石組４を串刺しするため、各摺動磁石４０に貫通孔４００を設けて、空気圧縮抵抗力を軽減する。該摺動磁石４０は接続棒６０と仕切り部材６１により一体化に串刺し接続する。そのうち、該接続棒６０はねじ棒であっても良い。該仕切り部材６１はナットまたはらせん状挿入部材、ワッシャーなどの仕切り物体を各摺動磁石４０の間に挟んでおき、一体化に串刺し接続した上、該中空搬送体２内部に組み入れる。本実施例において、該摺動磁石組４磁極の配列は、反対磁極を向かい合わせて配列する。該重り部材５は炭素鋼、真鍮などの適切な部材を該摺動磁石組４左右両側に組み込んでおき、該摺動磁石組４に適切な重量を与えることにより、摺動エネルギーの損失を減少し、磁力線カット誘導の影響を減少する。
【００１３】
さらに、図４から図７を参照する。本考案による中空搬送体２の内壁２２と摺動磁石４０の外周面４０１は、異なる輪郭の組み合わせにより、より良い摺動空間を提供し、摺動磁石組４の摺動過程における空気圧縮抵抗力を軽減する。図４に示すとおり、中空搬送体２内壁２２の断面は円形に対して、該摺動磁石４０外周面４０１の断面は多辺形である。図５に示すとおり、中空搬送体２内壁２２の断面は円形に対して、該摺動磁石４０外周面４０１の断面は円形のほか、複数の切り込み４０２を設ける。図６に示すとおり、中空搬送体２内壁２２の断面は円形に対して、該摺動磁石４０外周面４０１の断面は円形である。図７に示すとおり、中空搬送体２内壁２２の断面は円形のほか、複数の切り込み２２１を設けるに対して、該摺動磁石４０外周面４０１の断面は円形である。前記のとおり、中空搬送体２内壁２２と摺動磁石４０の外周面４０１は異なる輪郭の組み合わせにより、残された空間は摺動磁石組４の摺動過程における空気圧縮抵抗力を軽減できる。
【００１４】
特に、摺動磁石組４磁極の配列方法は、前記の反対磁極による配列のほか、同極配列、または同極と反対磁極を混合の配列で一体化に串刺し接続することもできる。この構造により、同じくコイルを備える中空搬送体内部に往復運動し、コイルの磁場を変化させ、誘導起電力を発生し、電力提供の効果を実現する。さらに、摺動磁石組４の摺動による摩擦力の軽減を図るため、該摺動磁石組４と中空搬送体２内壁の間、または摺動磁石組４、あるいは中空搬送体２の内壁に摩擦力を低減するための部材を設けても良い。さらに、応用対象物に応じて、図８に示すとおり、本考案による摺動磁石４’は扁平楕円形に設け、その中央部に貫通孔４００’を設ける。この構造により、該中空搬送体２の内壁は楕円形に合わせて設けても、同じく空気圧縮抵抗力を軽減する効果を実現できる。
【００１５】
引き続きに図９に示すものは、本考案による多磁極発電装置１’の実施例２である。この実施例において、中空搬送体２’の外周面に固定磁石３０’、３１’の形式は実施例１に同じく、環状体磁石を設ける。摺動磁石４’は一つのみを設ける。その代わり、重り部材５’の厚みを増やせることにより、摺動磁石４’のしかるべき重量を維持し、良好な摺動エネルギーを提供して、順調に往復運動を行い、誘導コイル９’を完全にカットすることにより、同じく電磁誘導効率を向上できる。本実施例において、コスト高い摺動磁石４に代わって、コスト低い炭素鋼、真鍮などの重り部材を設け、組み立て工程を簡素化させ、その実用性をさらに向上している。
【００１６】
前記したとおり、本考案による多磁極発電装置は創作目的に合致するほか、本考案は部材回収車両の振動、空調機の運転による振動、人体の自然振動など振動源の物体に応用することにより、電気に置き換えた上保存しておくことができる。代替え的な電源として、ノートパソコン、デジタルカメラ、ＰＤＡなどの情報製品のほか、携帯電話、懐中電灯などの通信製品に応用できる。
【図面の簡単な説明】
【００１７】
【図１】本考案による多磁極発電装置実施例１の断面図と整流蓄電装置の概略図である。
【図２】本考案による固定磁石の実施例２である。
【図３】本考案による固定磁石の実施例３である。
【図４】本考案による多磁極発電装置の摺動磁石の実施例１である。
【図５】本考案による多磁極発電装置の摺動磁石の実施例２である。
【図６】本考案による多磁極発電装置の中空搬送体の実施例１である。
【図７】本考案による多磁極発電装置の中空搬送体の実施例２である。
【図８】本考案による摺動磁石の扁平楕円形の実施態様である。
【図９】本考案による多磁極発電装置の実施例２の断面図である。
【符号の説明】
【００１８】
１  多磁極発電装置
２  中空搬送体
２０、２１  中空搬送体両端部
２２  中空搬送体内壁
２５  蓋体
２２１、４０２  切り込み
３０、３１  固定磁石
４、４’  摺動磁石組
４０  摺動磁石
４００  貫通孔
４０１  外周面
５  重り部材
６０  接続棒
６１  仕切り部材
７  整流蓄電装置
８０  ソケット
８１  コンセント
９０  コイル
【図１】
0003123573.tif 000003
【図２】
0003123573.tif 000004
【図３】
0003123573.tif 000005
【図４】
0003123573.tif 000006
【図５】
0003123573.tif 000007
【図６】
0003123573.tif 000008
【図７】
0003123573.tif 000009
【図８】
0003123573.tif 000010
【図９】
0003123573.tif 000011